(57)【要約】【課題】簡単な構成により表示パネルの解像度を認識可能なタイミングコントローラおよび画像表示装置を提供する。【解決手段】画像信号線駆動装置１０１〜１０８は、カスケード接続した複数の駆動回路をそれぞれ集積している。またそれら画像信号線駆動装置１０１〜１０８も、カスケード接続している。タイミングコントローラ１０は、水平スタートパルスＳＴＨを画像信号線駆動装置１０１に送信し、画像信号線駆動装置１０１〜１０８に含まれる駆動回路を一巡して戻ってくる戻り水平スタートパルスＳＴＨBを受信し、その送信から受信までの間隔に基づいて、液晶パネル３０１の水平方向の解像度（画素数）の数を判定する。【選択図】図１
2007041258.tif 000002
【特許請求の範囲】
【請求項１】
複数の画像信号線および走査線を有する表示パネルと、
前記複数の画像信号線を駆動する複数の駆動回路と、
前記複数の駆動回路に画像信号を送信すると共に、当該駆動回路の各々における前記画像信号を取り込むタイミングを規定するスタートパルスを送信するタイミングコントローラとを備え、
前記複数の駆動回路は、
これらを前記スタートパルスが一巡するようカスケード接続されており、
前記タイミングコントローラは、
前記複数の駆動回路を一巡した前記スタートパルスを受信し、前記スタートパルスの送信から受信までの間隔に基づいて、前記表示パネルにおける前記画像信号線の並びの方向の解像度を判定する
ことを特徴とする画像表示装置。
【請求項２】
請求項１記載の画像表示装置であって、
前記タイミングコントローラは、
前記スタートパルスの送信から受信までの間隔を計測するカウンタと、
前記カウンタの計測値を保持する保持回路とを含む
ことを特徴とする画像表示装置。
【請求項３】
複数の画像信号線および走査線を有する表示パネルと、
前記複数の走査線を駆動する複数の駆動回路と、
前記駆動回路の各々が前記走査線を駆動するタイミングを規定するスタートパルスを送信するタイミングコントローラとを備え、
前記複数の駆動回路は、
これらを前記スタートパルスが一巡するようカスケード接続されており、
前記タイミングコントローラは、
前記複数の駆動回路を一巡した前記スタートパルスを受信し、当該スタートパルスの送信から受信までの間隔に基づいて、前記表示パネルにおける前記走査線の並びの方向の解像度を判定する
ことを特徴とする画像表示装置。
【請求項４】
請求項３記載の画像表示装置であって、
前記タイミングコントローラは、
前記スタートパルスの送信から受信までの間隔を計測するカウンタと、
前記カウンタの計測値を保持する保持回路とを含む
ことを特徴とする画像表示装置。
【請求項５】
複数の画像信号線および走査線を有する表示パネルと、
前記複数の画像信号線を駆動し、複数のグループに分けられた複数の駆動回路と、
前記複数の駆動回路に画像信号を送信すると共に、当該駆動回路が前記画像信号を取り込むタイミングを規定するスタートパルスを前記グループごとに送信するタイミングコントローラとを備え、
前記複数の駆動回路は、
前記グループごとに前記スタートパルスが一巡するようカスケード接続されており、
前記タイミングコントローラは、
各々の前記グループ内の前記駆動回路を一巡した前記スタートパルスを受信し、各々の前記スタートパルスの送信から受信までの間隔に基づいて、前記表示パネルにおける前記画像信号線の並びの方向の解像度を判定する
ことを特徴とする画像表示装置。
【請求項６】
請求項５記載の画像表示装置であって、
前記タイミングコントローラは、
前記グループごとに送受信される各々の前記スタートパルスの送信から受信までの間隔を計測する複数のカウンタと、
前記複数のカウンタの計測値の各々を保持する複数の保持回路とを含む
ことを特徴とする画像表示装置。
【請求項７】
複数の画像信号線および走査線を有する表示パネルと、
前記複数の走査線を駆動し、複数のグループに分けられた複数の駆動回路と、
前記駆動回路が前記走査線を駆動するタイミングを規定するスタートパルスを前記グループごとに送信するタイミングコントローラとを備え、
前記複数の駆動回路は、
前記グループごとに前記スタートパルスが一巡するようカスケード接続されており、
前記タイミングコントローラは、
各々の前記グループ内の前記駆動回路を一巡した前記スタートパルスを受信し、各々の前記スタートパルスの送信から受信までの間隔に基づいて、前記表示パネルにおける前記走査線の並びの方向の解像度を判定する
ことを特徴とする画像表示装置。
【請求項８】
請求項７記載の画像表示装置であって、
前記タイミングコントローラは、
前記グループごとに送受信される各々の前記スタートパルスの送信から受信までの間隔を計測する複数のカウンタと、
前記複数のカウンタの計測値の各々を保持する複数の保持回路とを含む
ことを特徴とする画像表示装置。
【請求項９】
画像表示装置の画像信号線または走査線を駆動する駆動回路の動作タイミングを規定するスタートパルスを出力するタイミングコントローラであって、
前記スタートパルスの出力端子と、
当該タイミングコントローラに所定の信号を入力可能な入力端子と、
前記出力端子からスタートパルスを出力してから、前記入力端子に前記所定の信号が入力されるまでの間隔を計測するカウンタと、
前記カウンタの計測値を保持する保持回路とを備える
ことを特徴とするタイミングコントローラ。
【請求項１０】
請求項９記載のタイミングコントローラであって、
前記出力端子、前記入力端子、前記カウンタおよび前記保持回路から成るグループを複数個備える
ことを特徴とするタイミングコントローラ。
【請求項１１】
請求項９または請求項１０記載のタイミングコントローラであって、
第１の端子を前記出力端子として機能させると共に第２の端子を前記入力端子として機能させる第１の状態と、前記第１の端子を前記入力端子として機能させると共に前記第２の端子を前記出力端子として機能させる第２の状態とを切り替え可能な入出力切替回路をさらに備える
ことを特徴とするタイミングコントローラ。
【発明の詳細な説明】
【技術分野】
【０００１】
本発明は、液晶表示装置などの画像表示装置およびそれが搭載するタイミングコントローラに関し、特に、表示パネルの解像度を認識するための技術に関するものである。
【背景技術】
【０００２】
例えば液晶表示装置においては、画像データと共に、液晶パネルの駆動回路の制御の基準となる信号（以下「制御基準信号」）や、動作タイミングの基準となるクロック信号などが装置外部から入力される。上記の制御基準信号としては、液晶パネルの水平方向の同期をとるための水平同期信号、液晶パネルの垂直方向の同期をとるための垂直同期信号、画像データが有効な期間を示すデータイネーブル信号などが含まれる。それら画像データおよび制御基準信号は、液晶表示装置に搭載されたタイミングコントローラと呼ばれる制御回路に入力される。
【０００３】
タイミングコントローラは、制御基準信号に基づいて表示パネルの駆動回路を制御するための制御信号を生成し、それを画像データと共に駆動回路へと送信する。駆動回路は、その制御信号および画像データに従って液晶パネルを駆動し、画像を表示させる（例えば特許文献１参照）。
【０００４】
【特許文献１】特開２００４−４５９８５号公報
【発明の開示】
【発明が解決しようとする課題】
【０００５】
タイミングコントローラは、適切な制御信号を生成するために、液晶パネルの解像度を正しく認識しておく必要がある。従来の液晶表示装置においては、タイミングコントローラが認識しておくべき解像度の情報は、あらかじめ常数としてタイミングコントローラに保持させておくか、タイミングコントローラのメモリに記憶させていた。但しその場合には、タイミングコントローラごとに対応可能な解像度が制限される。
【０００６】
また、タイミングコントローラが、制御基準信号に含まれるデータイネーブル信号の長さおよび個数に基づいて液晶パネルの解像度を自己で判定して、それを認識することも可能である。しかし、タイミングコントローラに入力される制御基準信号は、それを生成するスケーラなどの仕様（設計方針）によって様々であるため、全てのタイミングコントローラに対応するとは限らない。タイミングコントローラの仕様に一致しない関係（ミスマッチ）の制御基準信号が、タイミングコントローラに入力された場合には、タイミングコントローラが正常な制御信号を生成することは期待できない。そのため、タイミングコントローラおよびスケーラの対応によっては、タイミングコントローラ搭載の液晶表示装置とスケーラ搭載の装置とを組み合わせできないケースもあり得る。
【０００７】
また制御基準信号とのミスマッチが生じることを想定してタイミングコントローラを設計すると、タイミングコントローラの回路構成が複雑になり、製造コストの上昇などの問題を招く。
【０００８】
本発明は以上のような課題を解決するためになされたものであり、簡単な構成により表示パネルの解像度を認識可能なタイミングコントローラおよび画像表示装置を提供することを目的とする。
【課題を解決するための手段】
【０００９】
本発明の画像表示装置の第１の局面において、複数の画像信号線および走査線を有する表示パネルと、前記複数の画像信号線を駆動する複数の駆動回路と、前記複数の駆動回路に画像信号を送信すると共に、当該駆動回路の各々における前記画像信号を取り込むタイミングを規定するスタートパルスを送信するタイミングコントローラとを備え、前記複数の駆動回路は、これらを前記スタートパルスが一巡するようカスケード接続されており、前記タイミングコントローラは、前記複数の駆動回路を一巡した前記スタートパルスを受信し、前記スタートパルスの送信から受信までの間隔に基づいて、前記表示パネルにおける前記画像信号線の並びの方向の解像度を判定するものである。
【００１０】
本発明の画像表示装置の第２の局面において、複数の画像信号線および走査線を有する表示パネルと、前記複数の走査線を駆動する複数の駆動回路と、前記駆動回路の各々が前記走査線を駆動するタイミングを規定するスタートパルスを送信するタイミングコントローラとを備え、前記複数の駆動回路は、これらを前記スタートパルスが一巡するようカスケード接続されており、前記タイミングコントローラは、前記複数の駆動回路を一巡した前記スタートパルスを受信し、当該スタートパルスの送信から受信までの間隔に基づいて、前記表示パネルにおける前記走査線の並びの方向の解像度を判定するものである。
【００１１】
本発明に係るタイミングコントローラは、画像表示装置の画像信号線または走査線を駆動する駆動回路の動作タイミングを規定するスタートパルスを出力するタイミングコントローラであって、前記スタートパルスの出力端子と、当該タイミングコントローラに所定の信号を入力可能な入力端子と、前記出力端子からスタートパルスを出力してから、前記入力端子に前記所定の信号が入力されるまでの間隔を計測するカウンタと、前記カウンタの計測値を保持する保持回路とを備えるものである。
【発明の効果】
【００１２】
本発明によれば、タイミングコントローラがあらかじめ表示パネルの解像度の情報を常数として保持していなくても、自己でそれを判定することができるので、対応可能な解像度が制限されることなく、あらゆる解像度の表示装置に適用することが可能になる。
【００１３】
また解像度の判定は、タイミングコントローラの外部から入力されるの制御基準信号に基づいて行われるのではないので、例えば制御基準信号がタイミングコントローラにミスマッチしていても、解像度を判定することができる。従って、制御基準信号がミスマッチする場合であっても、タイミングコントローラは正常な制御信号を生成することができる。よって、タイミングコントローラを制御基準信号とのミスマッチを想定して設計する必要がないため、タイミングコントローラの回路構成が複雑になることを回避でき、製造コストの削減に寄与できる。また、制御基準信号との相性を問わないので、汎用性の高いタイミングコントローラおよび液晶表示装置が得られる。
【発明を実施するための最良の形態】
【００１４】
＜実施の形態１＞
図１は、本発明の実施の形態１に係る液晶表示装置の主要部を示すブロック図である。当該ブロック図においては、説明の便宜上、主な信号の流れのみを記しており、例えば各回路同士が同期をとるためのクロック信号などは省略している（以下の各図においても同様）。
【００１５】
図１の如く、当該液晶表示装置は、タイミングコントローラ１０、画像信号線駆動装置１０１〜１０８、走査線駆動装置２０１〜２０３、液晶パネル３０１を備えている。本実施の形態においては、液晶パネル３０１はカラー液晶パネルであるとする。液晶パネル３０１には複数の画像信号線と複数の走査線とが互いに交差するように配設されており、マトリクス状に並ぶその交差点の各々に、画素を構成するドットが形成される。
【００１６】
本明細書では、カラー液晶パネルの「ドット」を、液晶パネル３０１上の一つのＴＦＴ（Thin Film Transistor）で光透過率制御される赤（Ｒ）または青（Ｂ）または緑（Ｇ）の最小の表示単位として定義する。また「画素」を、Ｒ、Ｇ、Ｂの３つのドットの集合でありそれら各ドットを個別に制御することで色空間を表示可能な最小の表示単位と定義する。即ち、液晶パネル３０１の各画素は３つのドットから構成されるので、液晶パネル３０１が備える画像信号線の数は、その水平方向の画素数（解像度）の３倍となる。
【００１７】
なお、モノクロ液晶パネルの場合は、各画素は１つのドットにより構成されるため、液晶パネルが備える画像信号線の数は水平方向の解像度と同じになる。また、カラー、モノクロ問わず、液晶パネルの垂直方向の解像度は、走査線の数と同じである。
【００１８】
画像信号線駆動装置１０１〜１０８は画像信号線を駆動する集積回路である。より詳細には、画像信号線駆動装置１０１〜１０８の各々には、個々の画像信号線を駆動する駆動回路が複数個集積されており、それら複数の駆動回路は、画像信号線駆動装置１０１〜１０８それぞれの内部でカスケード接続している。また図１のように、画像信号線駆動装置１０１〜１０８もカスケード接続している。つまり、画像信号線駆動装置１０１〜１０８に集積されている駆動回路は全てカスケード接続されることとなる。
【００１９】
また、走査線駆動装置２０１〜２０３は走査線を駆動する集積回路である。走査線駆動装置２０１〜２０３の各々にも、個々の走査線を駆動する駆動回路が複数個集積しており、それら複数の駆動回路は、走査線駆動装置２０１〜２０３それぞれの内部でカスケード接続している。また図１のように、走査線駆動装置２０１〜２０３もカスケード接続している。従って、走査線駆動装置２０１〜２０３に集積されている駆動回路は全てカスケード接続されることとなる。
【００２０】
以下、説明の便宜のため、画像信号線駆動装置１０１〜１０８に集積された複数の駆動回路を総称して単に「画像信号線駆動装置１０１〜１０８」と表現し、同様に走査線駆動装置２０１〜２０３に集積された複数の駆動回路を総称して単に「走査線駆動装置２０１〜２０３」と表現することもある。
【００２１】
タイミングコントローラ１０には、赤、緑、青の各画像データを含むＲＧＢデータ（ＲＧＢ−ｄａｔａ）と共に、画像信号線駆動装置１０１〜１０８および走査線駆動装置２０１〜２０３の制御の基準となる信号（制御基準信号）として、データイネーブル信号ＤＥＮＡ、水平同期信号ＨＤ、垂直同期信号ＶＤ、クロックＤＣＬＫが入力される。データイネーブル信号ＤＥＮＡはＲＧＢデータが有効である期間を示す信号である。水平同期信号ＨＤは、液晶パネル３０１の水平方向の同期をとるための信号であり、垂直同期信号ＶＤは垂直方向の同期をとるための信号である。クロックＤＣＬＫは、タイミングコントローラ１０の動作タイミングを規定する基準クロックとなる。
【００２２】
タイミングコントローラ１０は、上記の制御基準信号に基づいて、画像信号線駆動装置１０１〜１０８および走査線駆動装置２０１〜２０３を駆動するための制御信号を生成する。
【００２３】
画像信号線駆動装置１０１〜１０８の制御信号には、クロックＣＬＫ（以下「水平クロックＣＬＫ」）、スタートパルスＳＴＨ（以下「水平スタートパルスＳＴＨ」）、ラッチパルスＬＰなどが含まれる。クロックＣＬＫは、画像信号線駆動装置１０１〜１０８の動作の基準クロックである。
【００２４】
水平スタートパルスＳＴＨは、ＲＧＢデータにおける水平方向の先頭を表すパルス信号であり、画像信号線駆動装置１０１〜１０８に集積された各駆動回路におけるＲＧＢデータの取り込みタイミングはこれにより規定される。即ち、水平スタートパルスＳＴＨは画像信号線駆動装置１０１，１０２，・・・，１０８へと順に転送され、画像信号線駆動装置１０１〜１０８の個々の駆動回路は、カスケード接続の前段から送られてきた水平スタートパルスＳＴＨに同調してＲＧＢデータを取り込み、その水平スタートパルスＳＴＨを次段へ送る。それにより、画像信号線駆動装置１０１〜１０８の個々の駆動回路は、シリアルに送信されてくるＲＧＢデータを各々所定のタイミングで取り込むことが可能になる。
【００２５】
またラッチパルスＬＰは、画像信号線駆動装置１０１〜１０８が取り込んで保持しているＲＧＢデータを、液晶パネル３０１の画像信号線に出力するタイミングを規定する信号である。その他、タイミングコントローラ１０が出力する制御信号には、液晶駆動の極性を反転するための極性反転信号なども含まれる。タイミングコントローラ１０は、ＲＧＢデータと共にこれらの制御信号を画像信号線駆動装置１０１〜１０８に送信する。
【００２６】
一方、走査線駆動装置２０１〜２０３の制御信号には、走査線駆動装置２０１〜２０３の動作の基準クロックであるクロックＣＬＫＶ（以下「垂直クロックＣＬＫＶ」）、垂直走査の開始タイミングを規定するスタートパルスＳＴＶ（以下「垂直スタートパルスＳＴＶ」）などが含まれる。
【００２７】
垂直スタートパルスＳＴＶは走査線駆動装置２０１，２０２，２０３の順に転送される。走査線駆動装置２０１〜２０３に集積された各駆動回路は、カスケード接続の前段から送られてきた垂直スタートパルスＳＴＶに同調して液晶パネル３０１の走査線を駆動し、その垂直スタートパルスＳＴＶを次段へ送る。それにより、走査線駆動装置２０１〜２０３の駆動回路が、液晶パネル３０１の各走査線を順番にアクティブ状態にする（即ち、液晶パネル３０１を走査する）こととなる。
【００２８】
以上のように、この液晶表示装置においては、走査線駆動装置２０１〜２０３が垂直スタートパルスＳＴＶに基づいて液晶パネル３０１を走査し、画像信号線駆動装置１０１〜１０８が水平スタートパルスＳＴＨに基づいてＲＧＢデータを取り込み、各画素に書き込んでいく。この動作を繰り返すことにより、液晶パネル３０１全体に画像が表示される。
【００２９】
ここで、画像信号線駆動装置１０１〜１０８の各々は、カスケード接続が可能なように水平スタートパルスＳＴＨの入力端子と出力端子とを有している。同様に、走査線駆動装置２０１〜２０３の各々も、カスケード接続が可能なように垂直スタートパルスＳＴＶの入力端子と出力端子とを有している。従来の液晶表示装置では、最終段の画像信号線駆動装置（即ち、画像信号線駆動装置１０８）における水平スタートパルスＳＴＨの出力端子、および、最終段の走査線駆動装置（即ち、走査線駆動装置２０３）における垂直スタートパルスＳＴＶの出力端子には、通常は何も接続しない。
【００３０】
それに対し本実施の形態においては、画像信号線駆動装置１０８における水平スタートパルスＳＴＨの出力端子には、図１のようにタイミングコントローラ１０が接続される。従って、タイミングコントローラ１０は、水平スタートパルスＳＴＨの出力端子に加え、画像信号線駆動装置１０８からの水平スタートパルスＳＴＨの入力端子を備えている。つまり本実施の形態においては、タイミングコントローラ１０から出力された水平スタートパルスＳＴＨは、画像信号線駆動装置１０１〜１０８を一巡して再びタイミングコントローラ１０へと戻ってくる。以下、説明の便宜のため、画像信号線駆動装置１０１〜１０８を一巡して戻ってくる水平スタートパルスＳＴＨを「戻り水平スタートパルスＳＴＨB」と称する。
【００３１】
また本実施の形態に係るタイミングコントローラ１０は、水平スタートパルスＳＴＨを送信してから戻り水平スタートパルスＳＴＨBを受信するまでの間隔に基づいて、液晶パネル３０１の水平方向（即ち、画像信号線の並びの方向）の解像度を判定する水平解像度判定部を有している。
【００３２】
図２は、タイミングコントローラ１０が備える水平スタートパルス生成部および水平解像度判定部を示すブロック図である。同図におけるスタートパルス生成部１１は、水平スタートパルスＳＴＨを生成する回路である。水平解像度判定部は、スタートパルス生成部１１からの水平スタートパルスＳＴＨおよび画像信号線駆動装置１０８からの戻り水平スタートパルスＳＴＨBが入力されるカウンタ１２と、カウンタ１２のカウント値（計測値）を保持する保持回路１３とから成っている。
【００３３】
図３は、上記の水平解像度判定部の動作を示すタイミング図である。カウンタ１２は、スタートパルス生成部１１から水平スタートパルスＳＴＨが出力されたタイミングでカウントを開始し、水平クロックＣＬＫに同期してカウント値を増加させ、戻り水平スタートパルスＳＴＨBが戻ってくるタイミングでカウントを停止する。即ち、カウンタ１２においては、タイミングコントローラ１０がスタートパルスＳＴＨを送信してから戻り水平スタートパルスＳＴＨBを受信までの間隔が計測される。そしてカウンタ１２は、戻り水平スタートパルスＳＴＨBを受信すると、そのときのカウント値ｍを保持回路１３に送信し、保持回路１３がそれを保持する。
【００３４】
水平スタートパルスＳＴＨは、画像信号線駆動装置１０１〜１０８に集積された駆動回路を一巡して画像信号の取り込み指示をし、その後に戻り水平スタートパルスＳＴＨBとしてタイミングコントローラ１０に戻ってくる。その間、タイミングコントローラ１０は、水平クロックＣＬＫの１クロック毎に１画素分のＲＧＢデータを、画像信号線駆動装置１０１〜１０８送る。従って、タイミングコントローラ１０が戻り水平スタートパルスＳＴＨBを受信したときのカウント値ｍは、液晶パネル３０１の水平画素数（水平解像度）に対応した値となる。よって、タイミングコントローラ１０は、保持回路１３が保持するカウント値ｍを参照することにより、液晶パネル３０１の水平方向の解像度を自己で判定し、それを認識することができる。
【００３５】
なお、タイミングコントローラ１０の仕様によっては、画像信号線駆動装置１０１〜１０８に対し、水平クロックＣＬＫの１クロック毎に複数画素分のＲＧＢデータを送る場合もある。本実施の形態において、１クロック毎にｋ画素分のＲＧＢデータが送られると仮定すると、水平解像度判定部の保持回路１３が保持するカウント値ｍは、実際の水平画素数の１／ｋになる。従ってその場合には、保持回路１３がカウント値ｍをｋ倍して保持する、あるいは、タイミングコントローラ１０が参照したカウント値ｍをｋ倍して認識する、などの処理を行うようにすればよい。
【００３６】
本実施の形態に係るタイミングコントローラ１０によれば、あらかじめ液晶パネル３０１の解像度の情報を常数として保持していなくても、自己でそれを判定することができるので、対応可能な解像度が制限されることなく、あらゆる解像度の表示装置に適用することが可能になる。
【００３７】
また解像度の判定は、データイネーブル信号などタイミングコントローラ１０の外部から入力されるの制御基準信号に基づいて行われるのではないので、例えば制御基準信号がタイミングコントローラにミスマッチしていても、解像度を判定することができる。従って、制御基準信号がミスマッチする場合であっても、タイミングコントローラ１０は正常な制御信号を生成することができる。よって、タイミングコントローラ１０を制御基準信号とのミスマッチを想定して設計する必要がないため、タイミングコントローラ１０の回路構成が複雑になることを回避でき、製造コストの削減に寄与できる。また、制御基準信号との相性を問わないので、汎用性の高い液晶表示装置が得られる。
【００３８】
＜実施の形態２＞
図４は、本発明の実施の形態２に係る液晶表示装置の主要部を示すブロック図である。同図においては図１と同様の機能を有する要素には同一符号を付してあるので、それらの詳細な説明は省略する。
【００３９】
上記のように、走査線駆動装置２０１〜２０３はカスケード接続されており、垂直スタートパルスＳＴＶは走査線駆動装置２０１，２０２，２０３の順に転送される。また、走査線駆動装置２０１〜２０３の各々は、カスケード接続が可能なように垂直スタートパルスＳＴＶの入力端子と出力端子とを有している。従来の液晶表示装置では、最終段の走査線駆動装置（即ち、走査線駆動装置２０３）における垂直スタートパルスＳＴＶの出力端子には、通常は何も接続しない。
【００４０】
それに対し本実施の形態においては、走査線駆動装置２０３における垂直スタートパルスＳＴＶの出力端子には、図４のようにタイミングコントローラ１０が接続する。即ちタイミングコントローラ１０は、垂直スタートパルスＳＴＶの出力端子に加えて、走査線駆動装置２０３からの垂直スタートパルスＳＴＶの入力端子を備えている。つまり本実施の形態においては、タイミングコントローラ１０から出力された垂直スタートパルスＳＴＶは、走査線駆動装置２０１〜２０３を一巡して再びタイミングコントローラ１０へと戻ってくる。以下、説明の便宜のため、画像信号線駆動装置１０１〜１０８を一巡して戻ってくる垂直スタートパルスＳＴＶを「戻り垂直スタートパルスＳＴＶB」と称する。
【００４１】
また本実施の形態に係るタイミングコントローラ１０は、垂直スタートパルスＳＴＶを送信してから戻り垂直スタートパルスＳＴＶBを受信するまでの間隔に基づいて、液晶パネル３０１の垂直方向（即ち、走査線の並びの方向）の解像度を判定する垂直解像度判定部を有している。
【００４２】
図５は、タイミングコントローラ１０が備える垂直スタートパルス生成部および垂直解像度判定部を示すブロック図である。同図におけるスタートパルス生成部２１は、垂直スタートパルスＳＴＶを生成する回路である。垂直解像度判定部は、スタートパルス生成部２１からの垂直スタートパルスＳＴＶおよび走査線駆動装置２０３からの戻り垂直スタートパルスＳＴＶBが入力されるカウンタ２２と、カウンタ２２のカウント値（計測値）を保持する保持回路２３とから成っている。
【００４３】
図６は、本実施の形態に係る垂直解像度判定部の動作を示すタイミング図である。同図の如く、カウンタ２２は、スタートパルス生成部２１から垂直スタートパルスＳＴＶが出力されたタイミングでカウントを開始し、垂直クロックＣＬＫＶに同期してカウント値を増加させ、戻り垂直スタートパルスＳＴＶBが戻ってくるタイミングでカウントを停止する。即ち、カウンタ２２は、タイミングコントローラ１０が垂直スタートパルスＳＴＶを送信してから戻り垂直スタートパルスＳＴＶBを受信までの間隔を計測する。そしてカウンタ２２は、戻り垂直スタートパルスＳＴＶBを受信すると、そのときのカウント値ｎを保持回路２３に送信し、保持回路２３がそれを保持する。
【００４４】
垂直スタートパルスＳＴＶは、走査線駆動装置２０１〜２０３の各駆動回路を一巡して各走査線の駆動を指示をし、その後に戻り垂直スタートパルスＳＴＶBとしてタイミングコントローラ１０に戻ってくるので、上記カウント値ｎは液晶パネル３０１の走査線の数すなわち垂直解像度（垂直画素数）に対応した値となる。従って、タイミングコントローラ１０は、保持回路２３が保持するカウント値ｎを参照することにより、液晶パネル３０１の垂直方向の解像度を自己で判定し、それを認識することができる。
【００４５】
本実施の形態に係るタイミングコントローラ１０によれば、あらかじめ液晶パネル３０１の解像度の情報を常数として保持していなくても、自己でそれを判定することができるので、対応可能な解像度が制限されることなく、あらゆる解像度の表示装置に適用することが可能になる。
【００４６】
また解像度の判定は、データイネーブル信号などタイミングコントローラ１０の外部から入力されるの制御基準信号に基づいて行われるのではないため、例えば制御基準信号がタイミングコントローラにミスマッチしていても、解像度を判定することができる。従って、制御基準信号がミスマッチする場合であっても、タイミングコントローラ１０は正常な制御信号を生成することができる。よって、タイミングコントローラ１０の設計時に制御基準信号とのミスマッチを想定する必要がないため、タイミングコントローラ１０の回路構成が複雑になることを回避でき、製造コストの削減に寄与できる。また、制御基準信号との相性を問わないので、汎用性の高い液晶表示装置が得られる。
【００４７】
なお本実施の形態においては、タイミングコントローラ１０が、液晶パネル３０１の垂直方向の解像度を判定する垂直解像度判定部のみを備える構成としたが、実施の形態１の水平解像度判定部と組み合わせてもよい。その場合には、タイミングコントローラ１０は、液晶パネル３０１の垂直方向の解像度と水平方向の解像度の両方を判定可能になり、実施の形態１および実施の形態２の両方の効果が得られる。
【００４８】
＜実施の形態３＞
実施の形態３では、上記した実施の形態２の変形例を示す。本実施の形態において、液晶表示装置の構成は図４と同様であり、タイミングコントローラ１０が備える垂直解像度判定部の構成は図５と同様である。
【００４９】
本実施の形態においても、タイミングコントローラ１０は、実施の形態２と同様に垂直スタートパルスＳＴＶを送信してから戻り垂直スタートパルスＳＴＶBを受信するまでの間隔に基づいて、液晶パネル３０１の垂直方向の解像度を判定する。
【００５０】
図７は、実施の形態３に係る垂直解像度判定部の動作を示すタイミング図である。カウンタ２２は、スタートパルス生成部２１から垂直スタートパルスＳＴＶが出力されたタイミングでカウントを開始し、所定のクロックパルスＣＬＫＶ２に同期してカウント値を増加させ、戻り垂直スタートパルスＳＴＶBが戻ってくるタイミングでカウントを停止する。そしてカウンタ２２は、戻り垂直スタートパルスＳＴＶBを受信すると、そのときのカウント値ｎを保持回路２３に送信し、保持回路２３がそれを保持する。図６と比較して分かるように、本実施の形態における垂直解像度判定部の動作は、その動作タイミングがクロックパルスＣＬＫＶ２で規定されていることを除いて、実施の形態３と同様である。
【００５１】
上記のクロックパルスＣＬＫＶ２について説明する。図８は、図７に示す期間Ｌの間の垂直解像度判定部の動作を示すタイミング図である。図８に示すようにクロックパルスＣＬＫＶ２は、垂直クロックＣＬＫＶと、それを水平クロックＣＬＫの一周期分遅延した遅延クロックＣＬＫＶ１とから生成した信号である。従って、本実施の形態の垂直解像度判定部の動作タイミングは、結果的に水平クロックＣＬＫに同期することになる。
【００５２】
本実施の形態は、特に実施の形態１の水平解像度判定部と組み合わせる場合に有効である。実施形態１の水平解像度判定部は水平クロックＣＬＫに基づいて動作するが、実施形態２の垂直解像度判定部は垂直クロックＣＬＫＶに基づいて動作し、基準クロックが異なるためその２つの形態を組み合わせるのは比較的困難である。それに対し、実施形態３の垂直解像度判定部は、実施形態１と同じく水平クロックＣＬＫに基づいて動作するので、実施形態１と組み合わせることが容易であるという利点がある。
【００５３】
＜実施の形態４＞
液晶表示装置においては、高解像度化を実現する目的で、画像信号線の駆動回路および走査線の駆動回路を複数のグループに分け、各グループごとに異なるスタートパルスを用いて駆動するものもある。
【００５４】
図９は、本発明の実施の形態４に係る液晶表示装置の主要部を示すブロック図である。本実施の形態においては、画像信号線駆動装置１０１〜１０８の各駆動回路を、画像信号線駆動装置１０１〜１０４の第１のグループと画像信号線駆動装置１０５〜１０８の第２のグループとに分け、それぞれを第１の水平スタートパルスＳＴＨ1および第２の水平スタートパルスＳＴＨ2を用いて駆動させている。またＲＧＢデータも、第１のグループ用のデータ（ＲＧＢ−ｄａｔａ１（この例では画面左半分のＲＧＢデータ））と第２のグループ用のデータ（ＲＧＢ−ｄａｔａ２（この例では画面右半分のＲＧＢデータ））とに分けて、それぞれのグループに送られる。そうすることにより画像信号線駆動装置１０１〜１０８は、通常よりも低い周波数の水平クロックＣＬＫを用いて、より多くのＲＧＢデータを取り込むことができるようになる。つまり、水平クロックＣＬＫの高周波数化に伴う不要輻射の増大を抑えつつ、高解像度化を図ることができる。
【００５５】
第１のグループでは、画像信号線駆動装置１０１〜１０４がカスケード接続されており、第１の水平スタートパルスＳＴＨ1は画像信号線駆動装置１０１，１０２，１０３，１０４の順に転送される。第１の水平スタートパルスＳＴＨ1は、画像信号線駆動装置１０１〜１０４の各駆動回路を一巡して、第１の戻り水平スタートパルスＳＴＨB1としてタイミングコントローラ１０へ入力される。
【００５６】
また第２のグループでは、画像信号線駆動装置１０５〜１０８がカスケード接続されており、第２の水平スタートパルスＳＴＨ2は画像信号線駆動装置１０５，１０６，１０７，１０８の順に転送される。第２の水平スタートパルスＳＴＨ2は、画像信号線駆動装置１０５〜１０８の各駆動回路を一巡して、第２の戻り水平スタートパルスＳＴＨB2としてタイミングコントローラ１０へ入力される。
【００５７】
即ちタイミングコントローラ１０は、第１の水平スタートパルスＳＴＨ1および第２の水平スタートパルスＳＴＨ2を出力する出力端子に加え、画像信号線駆動装置１０４からの第１の戻り水平スタートパルスＳＴＨB1の入力端子および画像信号線駆動装置１０８からの第２の戻り水平スタートパルスＳＴＨB2の入力端子を備えている。
【００５８】
図１０は、本実施の形態に係るタイミングコントローラ１０が備える水平スタートパルス生成部および水平解像度判定部を示すブロック図である。同図における第１のスタートパルス生成部３１は第１の水平スタートパルスＳＴＨ1を生成するための回路であり、第２のスタートパルス生成部３４は第２の水平スタートパルスＳＴＨ2を生成する回路である。水平解像度判定部は、第１のカウンタ３２および第１の保持回路３３から成る第１の判定部と、第２のカウンタ３５および第２の保持回路３６から成る第２の判定部とを備えている。
【００５９】
この第１および第２の判定部は、共に実施の形態１の水平解像度判定部と同様に動作するものである。即ち第１の判定部では、第１のカウンタ３２が、タイミングコントローラ１０が第１の水平スタートパルスＳＴＨ1を送信してから第１の戻り水平スタートパルスＳＴＨB1を受信するまでの間隔（カウント値ｍ１）を計測し、第１の保持回路３３がそれを保持する。同様に第２の判定部では、第２のカウンタ３５が、タイミングコントローラ１０が第２の水平スタートパルスＳＴＨ2を送信してから第２の戻り水平スタートパルスＳＴＨB2を受信するまでの間隔（カウント値ｍ２）を計測し、第２の保持回路３６がそれを保持する。
【００６０】
カウント値ｍ１は、液晶パネル３０１における、画像信号線駆動装置１０１〜１０４（第１のグループ）が駆動する領域の水平方向の画素数に対応し、カウント値ｍ２は、画像信号線駆動装置１０５〜１０８（第２のグループ）が駆動する領域の水平方向の画素数に対応するので、タイミングコントローラ１０は、第１の保持回路３３および第２の保持回路３６がそれぞれ保持するカウント値ｍ１，ｍ２を参照することにより、第１，第２のグループそれぞれが駆動する領域の水平画素数を判定することができる。そしてタイミングコントローラ１０はその判定結果から、さらに液晶パネル３０１全体の水平方向の解像度を判定し、それを認識することができる。
【００６１】
以上のように、本実施の形態に係るタイミングコントローラは、水平スタートパルスの出力端子、戻り水平スタートパルスが入力される入力端子、水平スタートパルスを送信してから戻り水平スタートパルスが受信されるまでの間隔を計測するカウンタおよび、当該カウンタの計測値を保持する保持回路とを、画像信号線の駆動回路のグループごとに備えている。それによって、複数のスタートパルスを用いて画像信号線を駆動する方式の液晶表示装置に対しても適用可能になる。即ち、そのような液晶表示装置においても、実施の形態１と同様の効果が得られるようになる。
【００６２】
＜実施の形態５＞
図１１は、本発明の実施の形態５に係る液晶表示装置の主要部を示すブロック図である。本実施の形態においては、走査線駆動装置２０１〜２０３の各駆動回路を、走査線駆動装置２０１，２０２の第１のグループと走査線駆動装置２０３の第２のグループとに分け、それぞれを第１の垂直スタートパルスＳＴＶ1および第２の垂直スタートパルスＳＴＶ2を用いて駆動させている。
【００６３】
第１のグループでは、走査線駆動装置２０１，２０２がカスケード接続されており、第１の垂直スタートパルスＳＴＶ1は走査線駆動装置２０１，２０２の順に転送される。第１の垂直スタートパルスＳＴＶ1は、走査線駆動装置２０１，２０２を経て、第１の戻り垂直スタートパルスＳＴＶB1としてタイミングコントローラ１０へ入力される。
【００６４】
また第２のグループには走査線駆動装置２０３が属しており、第２の垂直スタートパルスＳＴＶ2は走査線駆動装置２０３に入力され、それを通して第２の戻り垂直スタートパルスＳＴＶB2としてタイミングコントローラ１０へ入力される。
【００６５】
即ちタイミングコントローラ１０は、第１の垂直スタートパルスＳＴＶ1の出力端子、および第２の垂直スタートパルスＳＴＶ2の出力端子の他に、走査線駆動装置２０２からの第１の戻り垂直スタートパルスＳＴＶB1の入力端子および走査線駆動装置２０３からの第２の戻り垂直スタートパルスＳＴＶB2の入力端子を備えている。
【００６６】
図１２は、本実施の形態に係るタイミングコントローラ１０が備える垂直スタートパルス生成部および垂直解像度判定部を示すブロック図である。同図において、第１のスタートパルス生成部４１は第１の垂直スタートパルスＳＴＶ1を生成するための回路であり、第２のスタートパルス生成部４４は第２の垂直スタートパルスＳＴＶ2を生成する回路である。垂直解像度判定部は、第１のカウンタ４２および第１の保持回路４３から成る第１の判定部と、第２のカウンタ４５および第２の保持回路４６から成る第２の判定部とを備えている。
【００６７】
この第１および第２の判定部は、共に実施の形態２または実施の形態３の垂直解像度判定部と同様に動作するものである。即ち第１の判定部では、第１のカウンタ４２が、タイミングコントローラ１０が第１の垂直スタートパルスＳＴＶ1を送信してから第１の戻り垂直スタートパルスＳＴＶB1を受信するまでの間隔（カウント値ｎ１）を計測し、第１の保持回路４３がそれを保持する。同様に第２の判定部では、第２のカウンタ４５が、タイミングコントローラ１０が第２の垂直スタートパルスＳＴＶ2を送信してから第２の戻り垂直スタートパルスＳＴＶB2を受信するまでの間隔（カウント値ｎ２）を計測し、第２の保持回路４６がそれを保持する。
【００６８】
カウント値ｎ１は、液晶パネル３０１における、走査線駆動装置２０１，２０２（第１のグループ）が駆動する領域の垂直方向の画素数に対応し、カウント値ｎ２は、走査線駆動装置２０３（第２のグループ）が駆動する領域の垂直方向の画素数に対応するので、タイミングコントローラ１０は、第１の保持回路４３および第２の保持回路４６がそれぞれ保持するカウント値ｎ１，ｎ２を参照することにより、第１，第２のグループそれぞれが駆動する領域の垂直方向の解像度を判定することができる。そしてその判定結果から、さらに液晶パネル３０１全体の垂直方向の解像度を判定し、それを認識することができる。
【００６９】
以上のように、本実施の形態に係るタイミングコントローラは、垂直スタートパルスの出力端子、戻り垂直スタートパルスが入力される入力端子、垂直スタートパルスを送信してから戻り垂直スタートパルスが受信されるまでの間隔を計測するカウンタおよび、当該カウンタの計測値を保持する保持回路を、走査線の駆動回路のグループごとに備えている。それによって、複数の垂直スタートパルスを用いて走査線を駆動する方式の液晶表示装置に対しても適用可能になる。即ち、そのような液晶表示装置においても、実施の形態２または実施の形態３と同様の効果が得られる。
【００７０】
＜実施の形態６＞
以上の実施の形態に示した液晶表示装置では、画像信号線駆動装置がＲＧＢデータを取り込む順番の方向（以下「取り込み方向」）、即ち水平スタートパルスが画像信号線駆動装置を転送される方向は、一方向に固定されていた。しかし液晶表示装置の中には、ＲＧＢデータの仕様に応じて、その取り込み方向を切り替え可能なものもある。
【００７１】
実施の形態６では、ＲＧＢデータの取り込み方向、即ち水平スタートパルスの転送方向を切り替え可能な液晶表示装置に本発明を適用する。図１３は、本実施の形態に係る液晶表示装置の主要部を示すブロック図である。タイミングコントローラ１０には、ＲＧＢデータと共に、その取り込み方向を指定する指定信号ＥＮＡＨが入力される。即ちタイミングコントローラ１０は、指定信号ＥＮＡＨに基づいて、水平スタートパルスＳＴＨを画像信号線駆動装置１０１に出力するか、画像信号線駆動装置１０８に出力するかを切り替えるよう動作する。
【００７２】
以下、説明の便宜のため、タイミングコントローラ１０から画像信号線駆動装置１０１に出力された水平スタートパルスＳＴＨを「水平スタートパルスＳＴＨＬ」と称し、それが画像信号線駆動装置１０１〜１０８を一巡してタイミングコントローラ１０に戻ってきたものを「戻り水平スタートパルスＳＴＨＬB」と称する。またタイミングコントローラ１０から画像信号線駆動装置１０８に出力された水平スタートパルスＳＴＨを「水平スタートパルスＳＴＨＲ」と称し、それが画像信号線駆動装置１０８〜１０１を一巡してタイミングコントローラ１０に戻ってきたものを「戻り水平スタートパルスＳＴＨＲB」と称する。
【００７３】
図１４は、本実施の形態に係るタイミングコントローラ１０が備える水平スタートパルス生成部および水平解像度判定部を示すブロック図である。同図の構成は、図２における水平スタートパルスＳＴＨおよび戻り水平スタートパルスＳＴＨBの入出力段に入出力切替回路５１が設けられたものである。この入出力切替回路５１は、指定信号ＥＮＡＨが“Ｌ”（Low）の場合には、スタートパルス生成部１１が生成した水平スタートパルスＳＴＨを端子Ｔ１に出力し、端子Ｔ２に入力された信号をカウンタ１２に伝達する。そして指定信号ＥＮＡＨが“Ｈ”（High）の場合には、スタートパルス生成部１１が生成した水平スタートパルスＳＴＨを端子Ｔ２に出力し、端子Ｔ１に入力された信号をカウンタ１２に伝達する。このように入出力切替回路５１は、指定信号ＥＮＡＨに基づいて、端子Ｔ１と端子Ｔ２との入出力の関係を互いに入れ替えることが可能である。
【００７４】
従って図１４の構成において、端子Ｔ１を画像信号線駆動装置１０１に接続し、端子Ｔ２を画像信号線駆動装置１０８に接続すれば、指定信号ＥＮＡＨが“Ｌ”の場合には、タイミングコントローラ１０は水平スタートパルスＳＴＨＬを画像信号線駆動装置１０１に送信し、画像信号線駆動装置１０８からの戻り水平スタートパルスＳＴＨＬBを受信することができる。逆に指定信号ＥＮＡＨが“Ｈ”の場合には、タイミングコントローラ１０は水平スタートパルスＳＴＨＲを画像信号線駆動装置１０８に送信し、画像信号線駆動装置１０１からの戻り水平スタートパルスＳＴＨＲBを受信することができる。そして実施の形態１と同様に、それらの送信と受信との間隔をカウンタ１２が測定し、その測定値を保持回路１３が保持することによって、タイミングコントローラ１０は液晶パネル３０１の水平方向の解像度を判定して認識することができる。
【００７５】
このように、タイミングコントローラ１０の水平解像度判定部に入出力切替回路５１を設けることによって、本発明はＲＧＢデータの取り込み方向を切り替え可能な液晶表示装置にも適用可能であり、その場合においても実施の形態１と同様の効果を得ることができる。
【００７６】
＜実施の形態７＞
以上の実施の形態に示した液晶表示装置では、走査線線駆動回路が走査線を駆動する順番の方向（以下「垂直走査方向」）、即ち垂直スタートパルスが走査線駆動装置を転送される方向は、一方向に固定されていた。しかし液晶表示装置の中には、ＲＧＢデータの仕様に応じて垂直走査方向を切り替え可能なものもある。
【００７７】
実施の形態７では、垂直走査方向、即ち垂直スタートパルスの転送方向を切り替え可能な液晶表示装置に本発明を適用する。図１５は、本実施の形態に係る液晶表示装置の主要部を示すブロック図である。タイミングコントローラ１０には、ＲＧＢデータと共に、垂直走査方向を指定する指定信号ＥＮＡＶが入力される。即ちタイミングコントローラ１０は、指定信号ＥＮＡＶに基づいて、垂直スタートパルスＳＴＶを走査線駆動装置２０１に出力するか、走査線駆動装置２０３に出力するかを切り替えるよう動作する。
【００７８】
以下、説明の便宜のため、タイミングコントローラ１０から走査線駆動装置２０１に出力された垂直スタートパルスＳＴＶを「垂直スタートパルスＳＴＶＵ」と称し、それが走査線駆動装置２０１〜２０３を一巡してタイミングコントローラ１０に戻ってきたものを「戻り垂直スタートパルスＳＴＶＵB」と称する。またタイミングコントローラ１０から走査線駆動装置２０３に出力された垂直スタートパルスＳＴＶを「垂直スタートパルスＳＴＶＤ」と称し、それが走査線駆動装置２０３〜２０１を一巡してタイミングコントローラ１０に戻ってきたものを「戻り垂直スタートパルスＳＴＶＤB」と称する。
【００７９】
図１６は、本実施の形態に係るタイミングコントローラ１０が備える垂直スタートパルス生成部および垂直解像度判定部を示すブロック図である。同図の構成は、図５における垂直スタートパルスＳＴＶおよび戻り垂直スタートパルスＳＴＶBの入出力段に入出力切替回路５２が設けられたものである。この入出力切替回路５２は、指定信号ＥＮＡＶが“Ｌ”（Low）の場合には、スタートパルス生成部２１が生成した垂直スタートパルスＳＴＶを端子Ｔ３に出力し、端子Ｔ４に入力された信号をカウンタ２２に伝達する。そして指定信号ＥＮＡＶが“Ｈ”（High）の場合には、スタートパルス生成部２１が生成した垂直スタートパルスＳＴＶを端子Ｔ４に出力し、端子Ｔ３に入力された信号をカウンタ２２に伝達する。このように入出力切替回路５２は、指定信号ＥＮＡＶに基づいて、端子Ｔ３と端子Ｔ４との入出力の関係を互いに入れ替えることが可能である。
【００８０】
従って図１６の構成において、端子Ｔ３を走査線駆動装置２０１に接続し、端子Ｔ４を走査線駆動装置２０３に接続すれば、指定信号ＥＮＡＶが“Ｌ”の場合には、タイミングコントローラ１０は垂直スタートパルスＳＴＶＵを走査線駆動装置２０１に送信し、走査線駆動装置２０３からの戻り垂直スタートパルスＳＴＶＵBを受信することができる。逆に指定信号ＥＮＡＶが“Ｈ”の場合には、タイミングコントローラ１０は垂直スタートパルスＳＴＶＤを走査線駆動装置２０３に送信し、走査線駆動装置２０１からの戻り垂直スタートパルスＳＴＶＤBを受信することができる。そして実施の形態２または実施の形態３と同様に、それらの送信と受信との間隔をカウンタ２２が測定し、その測定値を保持回路２３が保持することによって、タイミングコントローラ１０は液晶パネル３０１の垂直方向の解像度を判定して認識することができる。
【００８１】
このように、タイミングコントローラ１０の垂直解像度判定部に入出力切替回路５２を設けることによって、本発明は垂直走査方向を切り替え可能な液晶表示装置にも適用可能であり、その場合においても実施の形態２または実施の形態３と同様の効果を得ることができる。
【００８２】
なお、以上の各実施の形態において、タイミングコントローラが液晶パネルの解像度を認識する動作は、例えば電源投入時などの１回のみに行うものであっても良いし、所定の期間おきに繰り返し認識して、解像度の情報を更新する形態であっても良い。
【００８３】
また、以上の説明においては本発明を液晶表示装置に適用した例を示したが、本発明の適用はそれに限定されるものではない。即ち、画像信号の取り込みタイミングや、走査線の駆動タイミングが、複数の駆動回路を順番に転送されるスタートパルスによって規定される方式のものであれば、液晶表示装置以外の表示装置であっても本発明を適用することが可能である。
【図面の簡単な説明】
【００８４】
【図１】実施の形態１に係る液晶表示装置の主要部を示すブロック図である。
【図２】実施の形態１に係るタイミングコントローラが備える水平スタートパルス生成部および水平解像度判定部を示すブロック図である。
【図３】実施の形態１に係る水平解像度判定部の動作を示すタイミング図である。
【図４】実施の形態２に係る液晶表示装置の主要部を示すブロック図である。
【図５】実施の形態２に係るタイミングコントローラが備える垂直スタートパルス生成部および垂直解像度判定部を示すブロック図である。
【図６】実施の形態２に係る垂直解像度判定部の動作を示すタイミング図である。
【図７】実施の形態３に係る垂直解像度判定部の動作を示すタイミング図である。
【図８】実施の形態３に係る垂直解像度判定部の動作を示すタイミング図である。
【図９】実施の形態４に係る液晶表示装置の主要部を示すブロック図である。
【図１０】実施の形態４に係るタイミングコントローラが備える水平スタートパルス生成部および水平解像度判定部を示すブロック図である。
【図１１】実施の形態５に係る液晶表示装置の主要部を示すブロック図である。
【図１２】実施の形態５に係るタイミングコントローラが備える垂直スタートパルス生成部および垂直解像度判定部を示すブロック図である。
【図１３】実施の形態６に係る液晶表示装置の主要部を示すブロック図である。
【図１４】実施の形態６に係るタイミングコントローラが備える水平スタートパルス生成部および水平解像度判定部を示すブロック図である。
【図１５】実施の形態７に係る液晶表示装置の主要部を示すブロック図である。
【図１６】実施の形態７に係るタイミングコントローラが備える水平スタートパルス生成部および垂直解像度判定部を示すブロック図である。
【符号の説明】
【００８５】
１００〜１０８  画像信号線駆動装置、２０１〜２０３  走査線駆動装置、３０１  液晶パネル、１０  タイミングコントローラ、１１，２１，３１，３４，４１，４４  スタートパルス生成部、１２，２２，３２，３５，４２，４５  カウンタ、１３，２３，３３，３６，４３，４６  保持回路、５１，５２  入出力切替回路。
【図１】
2007041258.tif 000003
【図２】
2007041258.tif 000004
【図３】
2007041258.tif 000005
【図４】
2007041258.tif 000006
【図５】
2007041258.tif 000007
【図６】
2007041258.tif 000008
【図７】
2007041258.tif 000009
【図８】
2007041258.tif 000010
【図９】
2007041258.tif 000011
【図１０】
2007041258.tif 000012
【図１１】
2007041258.tif 000013
【図１２】
2007041258.tif 000014
【図１３】
2007041258.tif 000015
【図１４】
2007041258.tif 000016
【図１５】
2007041258.tif 000017
【図１６】
2007041258.tif 000018